(57)【要約】【課題】充分な剛性を保持しつつ、折り畳み可能であり、折り畳んだ際に付属物等を収納するスペースを確保する。【解決手段】両端が開放されて四角筒状に形成された本体部２と、本体部２の一端開放部を開閉可能な底板（端板）３と、本体部２の他端開放部を開閉可能な蓋板４と、本体部２内に着脱可能に装着される仕切り板５と、本体部２を折り畳み可能にする複数のヒンジ６とを備えている。本体部２は、相対する二つの側板２１、２１と、相対する二つの幅板２２、２２と、前記複数のヒンジ６とにより形成されている。これらの側板２１、２１、幅板２２、２２、複数のヒンジ６は合成樹脂により一体成形されている。各ヒンジ６は薄肉ヒンジによって形成されている。したがって、各ヒンジ６も両側板２１、２１及び両幅板２２、２２と共に一体成形されている。【選択図】      図２
2005022672.tif 000002
【特許請求の範囲】
【請求項１】
両端が開放されて四角筒状に形成された本体部と、
前記本体部の一端開放部を開閉可能な端板と、
前記本体部を折り畳み可能にする複数のヒンジとを備え、
前記本体部は、相対する二つの側板と、相対する二つの幅板により形成され、
前記各ヒンジは、前記幅板の幅方向両端近くにそれぞれ設けられている、折り畳み式箱形容器。
【請求項２】
前記幅板の両端から前記ヒンジの中心までの幅寸法Ｌが、前記端板の厚さＤよりも大きい、請求項１記載の折り畳み式箱形容器。
【請求項３】
前記各ヒンジは薄肉ヒンジであり、各薄肉ヒンジと、前記二つの側板及び二つの幅板とが、合成樹脂により一体成形されている、請求項１又は２記載の折り畳み式箱形容器。
【請求項４】
前記本体部は相互の継ぎ手片を介して溶着された二つの単位本体部により構成され、各単位本体部は、それぞれが前記薄肉ヒンジを介して連結された一つの側板と一つの幅板とを備えている、請求項１又は２記載の折り畳み式箱形容器。
【請求項５】
前記幅板には、その幅板を貫通する指掛け穴が設けられている、請求項１記載の折り畳み式箱形容器。
【請求項６】
前記指掛け穴内には、その穴の途中に、穴の内径を小さく形成した環状の指掛け部が設けられている、請求項５記載の折り畳み式箱形容器。
【請求項７】
前記幅板の表面に、背見出しシートを収納するための台座が設けられている、請求項１〜６の何れかに記載の折り畳み式箱形容器。
【請求項８】
前記端板と前記本体部との間には、端板を本体部に取り付ける取付手段が設けられている、請求項１〜７の何れかに記載の折り畳み式箱形容器。
【請求項９】
前記取付手段は、前記端板を前記側板の内面に沿う形態に折り畳むためのヒンジ機構を含む、請求項８記載の折り畳み式箱形容器。
【請求項１０】
前記本体部の他端開放部を閉じる着脱式の蓋板を更に備え、その蓋板の表面と本体部との間には、本体部の一端開放部側を蓋板上に位置決め可能な位置決め手段が設けられている、請求項１記載の折り畳み式箱形容器。
【請求項１１】
前記本体部と蓋板の少なくとも一方には、蓋板の縁に指を掛けるための隙間を形成する切り欠き部が設けられている、請求項１０記載の折り畳み式箱形容器。
【請求項１２】
前記本体部内で、前記相対する幅板間に差し渡される仕切り板を更に備え、その仕切り板と前記本体部との間には、仕切り板を本体部に位置決めする位置決め手段が設けられている、請求項１〜１１の何れかに記載の折り畳み式箱形容器。
【発明の詳細な説明】
【０００１】
【発明の属する技術分野】
本発明は、折り畳み式箱形容器に関する。特に、書類収納や整理用のボックスファイル等に利用して好適な折り畳み式箱形容器の技術に関する。
【０００２】
【従来の技術】
この種のボックスファイルは、折り畳み可能なものと、折り畳み不可能なものに大別できる。折り畳み可能なボックスファイルとしては、例えば特許文献１に記載されている。同文献に記載のボックスファイルは、その展開図に対応する形状に加工した厚紙や樹脂プレートを用いて、ワンタッチ組立及びワンタッチ折り畳み可能に構成されている。
【０００３】
折り畳み不可能なボックスファイルとしては、例えば特許文献２に記載されている。同文献に記載のボックスファイルも、樹脂材料を成形素材とする一枚のシートを用いて構成されているが、剛性を高めるために接合部を溶着している関係で、折り畳み不可能である。
【０００４】
折り畳み不可能な他のボックスファイルとしては、上面のみ、あるいは上面と前面を開口させた比較的剛性のある成形物として形成したものも従来から広く知られている。
【０００５】
また、折り畳み可能な他の箱形容器として、特許文献３に記載のような折り畳み式通函が知られている。この通函は、ヒンジ接続部材で四つの側面板を結合して四角筒状に形成し、その開口部側に蓋・底部兼用部材を着脱可能に設ける構造としたものである。
【０００６】
【特許文献１】
特開平８−０３９９８０号公報
【特許文献２】
特開２００１−２７７７６５号公報
【特許文献３】
特開平９−１７５５３２号公報
【０００７】
【発明が解決しようとする課題】
このような従来のボックスファイルにおいて、折り畳み式ボックスファイルは流通過程や保管時等に嵩張らない点で優れている。折り畳み不可能なボックスファイルは、充分な剛性を付与できる点で優れている。さらに、一体成形物として形成するボックスファイルは、充分な剛性を付与できる上に、製作性も良い点で優れている。
【０００８】
したがって、従来のボックスファイルでは、次のような点で解決すべき課題がある。
（１）折り畳み式ボックスファイルは、その本体部の四隅に設けたヒンジを利用して、本体部を菱形に変形させることで折り畳むことができるため、流通や保管に適しているものの、ボックスファイル自体の充分な剛性が得られない。
（２）一体成形物としてのボックスファイルは、剛性及び製作性の点で優れているものの、折り畳みできないために必要以上に嵩張り、流通や保管に適しない。
【０００９】
よって、本発明の課題は、充分な剛性を保持しつつ、折り畳み可能であり、折り畳んだ際に付属物等を収納するスペースを確保できる折り畳み式箱形容器を提供することにある。
【００１０】
【課題を解決するための手段】
前記課題を解決するため、本発明では以下の手段を採用した。
本発明に係る折り畳み式箱形容器は、両端が開放されて四角筒状に形成された本体部と、本体部の一端開放部を開閉可能な端板と、本体部を折り畳み可能にする複数のヒンジとを備え、本体部は、相対する二つの側板と、相対する二つの幅板により形成され、各ヒンジは幅板の幅方向両端近くにそれぞれ設けられている構成とした。
【００１１】
本発明によれば、本体部を折り畳み可能にするための各ヒンジを、相対する二つの幅板の幅方向両端近くにそれぞれ設けているので、四角筒状に形成された本体部の剛性を保ちつつ、折り畳み可能に構成することができる。例えば、本体部の四隅にヒンジを設けた場合、本体部の剛性を保持する作用は、本体部内に装着する底板（端板）に持たせることができる。しかし、この作用は本体部の底板付近に限られ、本体部の高さ全体には及ばない。そのため、本体部の上部ほど、その四隅部分から平面視で菱形に変形し易くなる。
【００１２】
この点、ヒンジを幅板の幅方向両端近くに設けることで、側板には幅板の一部が側板からリブ状に突出する端部幅板として残る形態となり、この端部幅板の部分が側板と共に本体部の剛性を保持する作用を発揮する。特に、この端部幅板と側板とにより、四角筒状に形成された本体部の四隅部分が剛性を持つアングル状（Ｌ形）に形成される。しかも、この端部幅板は本体部のほぼ全長に及ぶので、本体部全体の剛性が高められる。
【００１３】
さらに、端部幅板は本体部の四隅付近に位置するので、相対する二つの側板どうしが近づくように本体部を折り畳んだときに、両側板間に各端部幅板が位置してスペーサの機能を発揮する。これにより、両側板間に付属物等を収納するスペースを形成することができる。
【００１４】
本発明において、前記各ヒンジは、幅板の両端からヒンジの中心までの幅寸法Ｌが、端板の厚さＤよりも大きいことが望ましい。ヒンジの位置をこのように設定することで、本体部を折り畳んだときに形成されるスペース内に少なくとも端板を収納することができる。
【００１５】
前記各ヒンジは薄肉ヒンジであり、各薄肉ヒンジと、二つの側板及び二つの幅板とが、合成樹脂により一体成形されていることが望ましい。このように構成した場合、各薄肉ヒンジを有する本体部を一つの成形品として製作できる。これにより、製作性の向上と、成形品の剛性を保ちつつ、成形品での折り畳み可能な構造を実現することができる。
【００１６】
前記本体部は相互の継ぎ手片を介して溶着された二つの単位本体部により構成され、各単位本体部は、それぞれが薄肉ヒンジを介して連結された一つの側板と一つの幅板とを備えた構成とすることもできる。このように構成した場合、本体部が二つの単位本体部に分けられるので、特に、単位本体部の金型製作の簡素化を図ることができる。
【００１７】
前記幅板には、その幅板を貫通する指掛け穴が設けられていることが望ましい。そうすれば、箱形容器を取り出す際に、その指掛け穴に指を入れて容易に取り出すことができる。
【００１８】
前記指掛け穴内には、その穴の途中に、穴の内径を小さく形成した環状の指掛け部が設けられていることが望ましい。このように穴の途中に、それよりも小さい指掛け部を設ければ、穴の先端部分が本体部内の収納物で塞がれた状態でも指を引っ掛けることができ、指掛け部の機能を格段に高めて箱形容器の使い勝手を向上させることができる。
【００１９】
前記幅板の表面に、背見出しシートを収納するための台座が設けられていることが望ましい。その際、指掛け穴は台座の下方の底板寄りの位置に設けることが望ましい。
【００２０】
前記端板と本体部との間には、端板を本体部に取り付ける取付手段が設けられていることが望ましい。このようにすれば、端板を含む本体部の組立や折り畳み作業を容易にすることができる。
【００２１】
前記取付手段は、端板を側板の内面に沿う形態に折り畳むためのヒンジ機構を含むことが望ましい。そうすれば、本体部の折り畳み時には、端板をヒンジ機構によって側板の内面に沿う形態に折り畳むだけで、その端板を両側板間に収納することができる。本体部の組立時には、本体部を四角筒状に広げつつ端板をその定位置に展開させるだけのワンタッチ作業で組み立てることができる。
【００２２】
本発明では、前記本体部の他端開放部を閉じる着脱式の蓋板を更に備え、その蓋板の表面と本体部との間には、本体部の一端開放部側を蓋板の表面上に位置決め可能な位置決め手段が設けられていることが望ましい。このように構成すれば、蓋板付きの折り畳み式箱形容器を複数段積み重ねる際に、本体部を下段の蓋板上に位置決めした状態で順次積み重ねることができる。
【００２３】
前記本体部と蓋板の少なくとも一方には、蓋板の縁に指を掛けるための隙間を形成する切り欠き部が設けられていることが望ましい。そうすれば、蓋板を着脱する際に蓋板の縁に指を掛けやすくなり、蓋板の着脱操作を容易にすることができる。
【００２４】
本発明では、前記本体部内で、前記相対する幅板間に差し渡される仕切り板を更に備え、その仕切り板と本体部との間には、仕切り板を本体部内に位置決めする位置決め手段が設けられていることが望ましい。このように構成した場合、仕切り板によって本体部内を相対する側板方向へ区画することができる。
【００２５】
【発明の実施の形態】
以下、本発明の好適な実施の形態について、図面を参照して説明する。
図１は、本発明に係る折り畳み式箱形容器をボックスファイルに適用した例を示す斜視図である。図２はそのボックスファイルの折り畳み状態を示す斜視図である。図３はそのボックスファイルの一部切り欠き斜視図である。
【００２６】
この実施形態のボックスファイル（箱形容器）１は、両端が開放されて四角筒状に形成された本体部２と、本体部２の一端開放部を開閉可能な底板（端板）３と、本体部２の他端開放部を開閉可能な蓋板４と、本体部２内に着脱可能に装着される仕切り板５と、本体部２を折り畳み可能にする複数のヒンジ６とを備えている。
【００２７】
本体部２は、相対する二つの側板２１、２１と、相対する二つの幅板２２、２２と、前記複数のヒンジ６とにより形成されている。これらの側板２１、２１、幅板２２、２２、複数のヒンジ６は合成樹脂により一体成形されている。各ヒンジ６は、ここでは薄肉ヒンジによって形成されている。したがって、各ヒンジ６も両側板２１、２１及び両幅板２２、２２と共に一体成形されている。
【００２８】
本体部２を形成するのに用いる合成樹脂としては、成形品の剛性、薄肉ヒンジの強度や耐久性、成形性等に配慮して、ポリプロピレン樹脂が好適である。もちろん、他の合成樹脂も用いることができる。例えば、ポリエチレン樹脂等を用いることができる。
【００２９】
薄肉ヒンジで形成された各ヒンジ６は、両幅板２２、２２の幅方向両端近くにそれぞれ設けられている。即ち、各ヒンジ６の何れも本体部２の四隅には設けられていない。図示例では、幅板２２、２２の幅方向両端からヒンジ６の中心までの幅寸法Ｌが、底板３の厚さＤよりも大きく設定されている。その結果、幅板２２、２２にはその幅方向の両端側に、端部幅板２３、２３が形成されている。ここで、幅寸法Ｌとは、本体部２の四隅からヒンジ６までの寸法に対して側板２１の厚さを差し引いた寸法に相当する。なお、図１において、幅方向を矢印Ａで示し、長さ方向を矢印Ｂで示す。
【００３０】
これらの端部幅板２３、２３は、何れも幅寸法Ｌ、高さ寸法Ｈで側板２１、２１からそれぞれ略直角に湾曲して突出するように形成されている。これにより、本体部２を図２に示すように折り畳んだ状態では、底板３を収納するスペースＳ１と、仕切板５を収納するスペースＳ２が形成されている。
【００３１】
各ヒンジ６は、図１に示すように、幅板２２、２２と、端部幅板２３，２３との間に幅板の全長（本体部２の全高Ｈ）にわたって設けられている。したがって、ヒンジ６は、一方の幅板２２側に２箇所、他方の幅板２２側に２箇所、合計４箇所設けられている。
【００３２】
幅板２２のヒンジ６に沿った部分（幅板２２と端部幅板２３との間）は、幅板２２の厚さ方向に貫通しない程度に切り込まれかつ上下に細長く延びる凹溝６１に形成されている。凹溝６１は、幅板２２の表面側に形成され、ボックスファイル１を組み立てる際に、そのヒンジ部分に指を挟むことを防止する作用を発揮する。
【００３３】
凹溝６１は幅板２２の全長にわたって形成することが望ましい。しかし、図１に示すように、幅板２２の上下に凹溝６１を設けない部分を残して形成しても良い。
【００３４】
各ヒンジ６のうち、幅板２２の幅方向一側（図１及び図２において左側）のヒンジ６は、ヒンジの中心が本体部２内へ変位するように屈曲可能に構成されている。幅板２２の幅方向他側（図１及び図２において右側）のヒンジ６は、ヒンジの中心が本体部２の外側へ変位するように屈曲可能に構成されている。
【００３５】
そして、何れのヒンジ６も、図１に示すように、本体部２を四角筒状に展開した（組み立てた）状態では、両幅板２２、２２が外側へ屈曲しないように構成されている。この構成は、各幅板２２及び各端部幅板２３に厚みを持たせ、その隣り合う端面同士を突き当てて面接触させると共に、一側のヒンジ６の薄肉部を幅板の外表面側に寄せて形成し、他側のヒンジ６の薄肉部を幅板の内表面側に寄せて形成することで可能となる。
【００３６】
本体部２については、その全体を一体成形することが望ましい。しかし、金型の製作性を考慮して、図９〜図１５に示すように、縦割りした形態の二つの単位本体部Ｂ１、Ｂ２により構成することも望ましい。
【００３７】
単位本体部Ｂ１は、一方の側板２１と、その側板２１の両端から突出する２つの端部幅板２３、２３と、ヒンジ６を介して連結された一方の幅板２２とを有し、これらが合成樹脂により一体成形された構成である。また、二つの端部幅板２３、２３のうち、幅板２２の連結されていない端部幅板２３には、ほぼ半分程度の肉厚とした相手継ぎ手片２３ｂが形成されている。さらに、ヒンジ６は一方の幅板２２の両側に設けられている（図１０参照）。
【００３８】
この一方の幅板２２の両側のヒンジ６、６のうち、幅板２２と端部幅板２３とを連結するヒンジ６と反対側に設けたヒンジ６を介して継ぎ手片２３ａが連結されている。この継ぎ手片２３ａは、単位本体部Ｂ２の端部幅板２３に形成した相手継ぎ手片２３ｂへ溶着するのに用いられる。したがって、この継ぎ手片２３ａも、端部幅板２３の板厚の半分程度に形成されている。
【００３９】
単位本体部Ｂ２は、他方の側板２１と、側板２１の両端から突出する端部幅板２３、２３と、ヒンジ６を介して連結された他方の幅板２２とを有し、これらが合成樹脂により一体成形された構成である。また、二つの端部幅板２３、２３のうち、幅板２２の連結されていない端部幅板２３には、ほぼ半分程度の肉厚とした前記相手継ぎ手片２３ｂが形成されている。さらに、ヒンジ６は一方の幅板２２の両側に設けられている。
【００４０】
この単位本体部Ｂ２の他方の幅板２２における両方のヒンジ６、６のうち、幅板２２と端部幅板２３とを連結するヒンジ６と反対側に設けたヒンジ６を介して継ぎ手片２３ａが連結されている。この継ぎ手片２３ａは、単位本体部Ｂ１の相手継ぎ手片２３ｂへ溶着するのに用いられる。したがって、この継ぎ手片２３ａも、端部幅板２３の板厚の半分程度に形成されている。
【００４１】
単位本体部Ｂ１、Ｂ２の継ぎ手片２３ａと、単位本体部Ｂ１、Ｂ２の相手継ぎ手片２３ｂとは、図１０に示すように、それぞれ重ね合わされた状態で溶着される。従って、継ぎ手片２３ａと相手継ぎ手片２３ｂとが溶着された状態で、端部幅板２３の一部が構成される。これらの溶着作業に際して、双方の位置決めを確実にするために、継ぎ手片２３ａには図１１に示すように凹部２３ｃが設けられ、相手継ぎ手片２３ｂには凸部２３ｄが設けられている。
【００４２】
底板３と本体部２との間には、図１２に示すように、底板３を本体部２に取り付ける取付手段７が設けられている。この取付手段７は、底板３を一方の側板２１又は他方の側板２１の内面に沿う形態に折り畳むためのヒンジ機構を含む構成である。
【００４３】
この実施形態において、取付手段７は、底板３の長さ方向に沿った一方の縁部に設けられた薄肉ヒンジ７１と、その薄肉ヒンジ７１を介して連結された取付プレート７２とを有している。そして、取付プレート７２を側板２１の下部内面２ａに溶着することで、底板３を側板２１の内面に添う形態に折り畳むことができる構成としている。
【００４４】
即ち、底板３は図５に示す折り畳み位置と、図４に示す展開位置（一端開放部を閉じる位置）に回動可能で、かつ本体部２に対して着脱不可能に構成されている。なお、取付プレート７２を側板２１に溶着する代わりに、接着剤あるいはリベット等を用いて接合することもできる。
【００４５】
本体部２の下部（一端開放部）には、図４、図５及び図１２に示すように、底板３をその展開位置に位置決めするための突出片８が複数設けられている。これらの突出片８は、底板３の下面を支持できるように本体部２の下部内面から底板３の下面に沿って延びている。
【００４６】
突出片８には、図５、図１２及び図１３に示すように、突出片８の板厚方向に貫通する係合孔８１が複数（図では２箇所）設けられている。これらの係合孔８１は、薄肉ヒンジ７１を支点に回動可能な底板３の自由端（他方の縁部）側を底板３の展開位置に仮固定するために用いられる。従って、底板３の自由端には、係合孔８１内に進入して互いに係合可能なフック８２が設けられている。
【００４７】
なお、薄肉ヒンジ７１付きの底板３を本体部２と一体成形した構成とすることもできる。また、薄肉ヒンジ７１及び取付プレート７２を有する取付手段７を設ける代わりに、凹凸嵌合によるヒンジ機構を採用することもできる。例えば、底板３側にヒンジピンを兼ねる嵌合凸部を設け、本体部２側にヒンジピン受けを兼ねる嵌合凹部を設けた構成とすることができる。その場合、嵌合凹部内に嵌合凸部を嵌め込み、底板３を本体部２に対して着脱可能又は着脱不可能な構成とすることができる。
【００４８】
蓋板４と本体部２との間には、本体部２の下面開口（一端開放部）側を蓋板４の上に位置決め可能な位置決め手段が設けられている。この位置決め手段は、以下に説明するように、蓋板４の凹面部４３と、底板３の下面に設けられた位置決め凸部３１、３１とによって構成されている。
【００４９】
これらの位置決め凸部３１は、底板３の幅方向の両側近くに設けられ、底板３の長手方向に延びている。底板３の下面で、位置決め凸部３１、３１間には、複数の補強リブ３２が設けられている。これらの補強リブ３２は、底板３の幅方向に間隔をおいて設けられ、底板３の長さ方向に延びている。
【００５０】
両側の位置決め凸部３１、３１の高さは、その間の補強リブ３２よりも僅かに高く設定されている。これにより、位置決め凸部３１、３１のみに位置決め機能を発揮させることができる。さらに、位置決め凸部３１及び補強リブ３２には、ガイドリブとしての機能も与えることができる。例えば、位置決め凸部３１及び補強リブ３２の長さ方向の両端部のうち、手前側の端部にテーパや丸みを付けておくことで、複数段重ねられたボックスファイル１を手前に引き出し易くすることができる。
【００５１】
本体部２の上面開口（他端開放部）を閉じる着脱式の蓋板４は、本体部２の上面開口の形状に対応する平面長方形に形成されている。蓋板４は本体部２の上面開口よりも本体部２の肉厚分だけ僅かに大きな長方形に形成されている。蓋板４の下面には、本体部２の上面開口内に進入して、蓋板４を本体部２に位置決めする凸面部４１が設けられている。
【００５２】
この凸面部４１は単なる突起や突条でも良い。しかし、本体部２や蓋板４を備えた別のボックスファイル１を蓋板４上に安定的に積み重ねることができるように、蓋板４の全体形状について考慮されている。具体的には、蓋板４の上面は凹面状に形成され、蓋板４の下面は凸面状に形成されている。そして、この凸面状に形成された部分が本体部２の上面開口内に進入して嵌り込む凸面部４１に形成されている。蓋板４の外周縁部４２は、本体部２の肉厚に相当する幅を有する。したがって、蓋板４を使用したときに、この外周縁部４２の部分が本体部２の上面開口の口縁に係止される。
【００５３】
本体部２の底板３には、前述のように、蓋板４上にボックスファイル１を積み重ねたときに、蓋板４の凹面部４３に嵌り込む位置決め凸部３１が設けられている。この位置決め凸部３１は底板３の下面に設けられ、底板３の長手方向に沿って平行に延びる複数の突条（リブ）で構成されている。このように、位置決め凸部３１を複数の突条で構成することで、その位置決め凸部３１を本来の位置決め機能に加えて底板３の補強リブとしても機能させることができる。
【００５４】
本体部２の上面開口の口縁には、即ち、側板２１、２１の上端には、蓋板４の縁（外周縁部４２）に指を掛けるための隙間を形成する切り欠き部２４、２４が設けられている。切り欠き部を設けることにより、図７に示すように、蓋板４を着脱する際に蓋板４の縁に指を掛けやすくなり、蓋板４の着脱操作を容易に行うことができる。
【００５５】
この切り欠き部２４、２４は、指の少なくとも一部が入る程度の半円弧状に形成されている。この切り欠き部２４、２４は、蓋板４の外周縁部４２に設けることもできる。但し、大きな切り欠き部を設けた場合、蓋板４の強度及び蓋本来の機能を低下させる恐れがあるので、図示のように側板２２の上端に切り欠き部を設けることが望ましい。なお、この切り欠き部は、幅板２２の上端に設けても良い。
【００５６】
両側板２１、２１には、例えば本体部２を内部収納物と共に持ち上げたり運んだりする際に利用される把手用長孔２５、２５が設けられている。この長孔２５は、側板２１の高さ方向の中央よりも上部に位置し、側板２１の長さ方向に長く延びている。
【００５７】
仕切り板５は、本体部２内をその幅方向に区画するために設けられる。但し、この仕切り板５は、本体部２内で、相対する幅板２２、２２間に差し渡されるため、本体部２の剛性を高める補強プレートとしての機能も兼ねている。
【００５８】
仕切り板５と本体部２の間には、仕切り板５を本体部２内の任意の位置に位置決めする位置決め手段が設けられている。この位置決め手段は、図３に示すように、底板３に設けられた複数の細い長孔３３と、両幅板２２、２２の上端近くに設けられた複数の細孔２６、２６と、仕切り板５の下端に設けられた細い長孔３２用の突条５１と、仕切り板５の上端近くの両端に設けられた細孔２６用の突起５２とで構成されている。
【００５９】
底板３の細い長孔３２は、底板３の幅方向に間隔をおいて３列、底板３の長さ方向に間隔をおいて３行、合計９箇所設けられている。幅板２２の細孔２６は、幅板２２の幅方向に間隔をおいて３箇所設けられている。仕切り板５の、細い長孔３２用の突条５１も間隔をおいて３箇所設けられている。これにより、仕切り板５を本体部２内において任意の３箇所に着脱可能に位置決めすることができる。
【００６０】
仕切り板５の下部には後述する指掛け穴２７に指を挿入したときに、仕切り板５が邪魔にならないようにするための切り欠き５３が設けられている。また、仕切り板５が不要なときには、仕切り板５を本体部２内の端に寄せた位置に位置決めすることができる。その際、仕切り板５によって本体部２の把手用長孔２５を閉塞しないように、仕切り板５にも把手用長孔５３が設けられている。
【００６１】
両幅板２２、２２のうち、一方の幅板２２の下端近くには、図６（ａ）、（ｂ）及び（ｃ）に示すように、その幅板２２を貫通する指掛け穴２７が設けられている。この指掛け穴２７は、例えば人差し指を挿入できる程度の大きさである。指掛け穴２７を設けることで、収納されたボックスファイルを容易に取り出すことができる。
【００６２】
この指掛け穴２７内には、その穴の途中に、穴の内径を小さく形成した環状の指掛け部２８が設けられている。指掛け部２８は幅板２２の厚さ方向の中間に位置するように形成されている。そして、指掛け部２８を中心にして、穴の入り口側（幅板の表面側）に向かって穴の内径が次第に大径となるように形成されている。さらに、指掛け部２８を中心にして、穴の奥側（幅板の裏面側）に向かって穴の内径が次第に大径となるように形成されている。
【００６３】
このように穴の途中に、それよりも内径が小さい指掛け部２８を設ければ、穴の先端部分が本体部２内の収納物で塞がれた状態でも指先を引っ掛けることができる。これにより、指掛け穴２７の機能を格段に高めて箱形容器１の使い勝手を向上させることができる。例えば、複数並べたボックスファイル１の一つを手前に引き出す際の操作等を容易に行うことができる。
【００６４】
この指掛け穴２７が設けられた幅板２２には、その表面側に、長方形の背見出しシートＳを収納するための台座２９が設けられている。背見出しシートＳは、一般に背見出し紙と称されている。この背見出しシートの表面には、ファイル名やファイル番号、種類、その他の必要事項を任意に記載することができる。したがって、台座２９は、背見出しシートＳを保持した状態でそのシートＳの表面部分を露出可能に形成されている。
【００６５】
図６に示す例では、台座２９は、指掛け穴２７の上部に設けられ、背見出しシートＳの下端を保持する下端保持部２９１と、背見出しシートＳの周縁保持部２９２とを有し、それ以外は窓部２９３として形成されている。なお、この台座２９及び指掛け穴２７は、幅板２２を含む本体部２との一体成形により形成されている。勿論、この台座２９及び指掛け穴２７を備えたプレートを製作し、このプレートを幅板２２に嵌め込む構成とすることもできる。
【００６６】
この実施形態に係るボックスファイル１は、図１に示すように、本体部２を四角筒状に広げつつ、底板３をその定位置に展開して位置決めするだけのワンタッチ作業で組み立てることができる。組み立てたボックスファイル１は、図８に示すように複数段重ねておくことができる。
【００６７】
この重ね置き状態では、下段に位置するボックスファイル１の蓋板４上に、上段に位置するボックスファイル１の下端部が嵌り込んで位置決めされる。蓋板４の表面は凹面部４３として形成され、底板３の下面には凹面部４３に嵌り込む位置決め凸部３１が設けられている。これにより、上下のボックスファイル１同士を安定した状態で積み重ねることができる。
【００６８】
ボックスファイル１を折り畳むときには、底板３を側板２１の内面に添うように回動させつつ、側板２１、２１同士が互いに接近するように各ヒンジ６の部分から折り畳むだけの、ワンタッチ操作で行うことができる（図２参照）。
【００６９】
こうして折り畳んだ後、スペースＳ１内に蓋板４を収納し、スペースＳ２内に仕切り板５を収納する。これにより、ボックスファイル１をその付属物ごと一つにまとめ、薄型でコンパクトに折り畳んでおくことができる。この状態となったボックスファイル１は、輸送や保管時に嵩張らず、極めて便利に取り扱うことができる。
【００７０】
さらに、ボックスファイル１の組み立て状態においては、ヒンジ６を幅板２２の幅方向両端近くに設けたことで、側板２１には幅板２２の一部が側板２１からリブ状に突出する端部幅板２３として残る形態となり、この端部幅板２３の部分が側板２１と共に本体部２の剛性を保持する作用を発揮する。特に、この端部幅板２３と側板２１とにより、四角筒状に形成された本体部２の四隅部分が剛性を持つアングル状（Ｌ形）に形成される。しかも、この端部幅板２３は本体部２のほぼ全高に及ぶので、本体部全体の剛性が高められる。
【００７１】
なお、上記実施形態では、ヒンジ６を本体部２と一体成形した例を示したが、ヒンジ６は別部材で構成することもできる。
【００７２】
【発明の効果】
以上のように、本発明の折り畳み式箱形容器によれば、充分な剛性を保持しつつ、折り畳み可能であり、付属物を利用して箱形容器を重ねて保持することができ、かつ折り畳んだ際に付属物等を収納するスペースを確保できるといった優れた効果を奏する。
【図面の簡単な説明】
【図１】本発明の実施形態に係る箱形容器の組み立て状態を示す斜視図である。
【図２】本発明の実施形態に係る箱形容器の折り畳み状態を示す斜視図である。
【図３】本発明の実施形態に係る箱形容器の一部切り欠き斜視図である。
【図４】本発明の実施形態に係る箱形容器を天地逆にして示す斜視図である。
【図５】本発明の実施形態に係る箱形容器の底板の折り畳み状態を示す斜視図である。
【図６】本発明の実施形態に係る箱形容器の部分図であり、（ａ）は幅板の正面図、（ｂ）は図６（ａ）のｂ−ｂ線に沿った断面図、（ｃ）は図６（ｂ）のｃ部分の拡大図である。
【図７】本発明の実施形態に係る箱形容器の作用を説明する斜視図である。
【図８】本発明の実施形態に係る箱形容器の作用を説明する斜視図である。
【図９】本発明に係る箱形容器の本体部を単位本体部で構成する場合の分解斜視図である。
【図１０】本発明に係る箱形容器の本体部を単位本体部で構成する場合の底面図である。
【図１１】本発明に係る箱形容器の単位本体部を示す図である。
【図１２】本発明に係る箱形容器の底板の底面図である。
【図１３】図１１のＸＩＩＩ−ＸＩＩＩ線に沿った断面図である。
【図１４】図１１のＸＩＶ−ＸＩＶ線に沿った断面図である。
【図１５】図１２のＸＶ−ＸＶ線に沿った断面図である。
【符号の説明】
１  ボックスファイル（箱形容器）
２  本体部
２１  側板
２２  幅板
２３  端部幅板
２４  切り欠き部
２７  指掛け穴
２８  指掛け部
２９  台座
３  底板（端板）
３１  位置決め凸部
４  蓋板
４１  凸面部
４２  外周縁部
４３  凹面部
５  仕切り板
６  ヒンジ
７  取付手段
７１  薄肉ヒンジ
７２  取付プレート
８  突出片
８１  係合孔
８２  フック
Ｂ１、Ｂ２  単位本体部
【図１】
2005022672.tif 000003
【図２】
2005022672.tif 000004
【図３】
2005022672.tif 000005
【図４】
2005022672.tif 000006
【図５】
2005022672.tif 000007
【図６】
2005022672.tif 000008
【図７】
2005022672.tif 000009
【図８】
2005022672.tif 000010
【図９】
2005022672.tif 000011
【図１０】
2005022672.tif 000012
【図１１】
2005022672.tif 000013
【図１２】
2005022672.tif 000014
【図１３】
2005022672.tif 000015
【図１４】
2005022672.tif 000016
【図１５】
2005022672.tif 000017